【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
容器および前記容器内の飲料濃縮液の複数回用量を有するパッケージ入り飲料濃縮液であって、
閉じた下側端部と、出口開口部を有する上側端部と、前記上側端部と前記下側端部との間に延在して、前記上側端部の前記出口を通してアクセス可能な容器本体の内部を画定する側壁とを有し、前記側壁が可撓性かつ弾性であって、圧搾して容器本体の前記内部から、かつ前記出口開口部を通して前記飲料濃縮液を押し出すことができる、容器本体と、
約２．１ｇ／ｓの質量流量をもたらす強い圧搾力と約１．４ｇ／ｓの質量流量をもたらす弱い圧搾力とを比較して、前記容器を出る濃縮液の噴流の推力の最大差異が約８０００ｇ×ｍｍ／ｓ2未満であるようにして、前記側壁が圧搾されると、噴出口に前記飲料濃縮液を分配するように構成された出口経路とを備えることを特徴とするパッケージ入り飲料濃縮液。
【請求項２】
前記推力の差異が約６０００ｇ×ｍｍ／ｓ2未満であることを特徴とする請求項１に記載のパッケージ入り飲料濃縮液。
【請求項３】
ＬＣＤＦＶが１から４であることを特徴とする請求項１に記載のパッケージ入り飲料濃縮液。
【請求項４】
約１．４ｇ／ｓの質量流量をもたらす圧搾力に対して前記容器を出る濃縮液の噴流の混合能力値が２以下であるように、前記出口経路が構成されることを特徴とする請求項１に記載のパッケージ入り飲料濃縮液。
【請求項５】
約１．４ｇ／ｓの質量流量をもたらす圧搾力に対して前記容器を出る濃縮液の噴流の衝突液飛び係数が２以下であるように、前記出口経路が構成されることを特徴とする請求項１に記載のパッケージ入り飲料濃縮液。
【請求項６】
前記容器本体に取り付けられるとともに、前記出口開口部を選択的に閉じ、前記出口経路を遮断するカバー部分を有する蓋をさらに備えることを特徴とする請求項１に記載のパッケージ入り飲料濃縮液。
【請求項７】
前記蓋のベース部分が、肩部の下方で前記容器本体の前記側壁へと滑らかに推移する外部スカートを有し、
前記蓋の前記カバー部分が、前記蓋の前記カバー部分を前記蓋の前記ベース部分に載置したときに、前記蓋の前記ベース部分の前記外部スカートへと滑らかに推移する外部部分を有することを特徴とする請求項６に記載のパッケージ入り飲料濃縮液。
【請求項８】
流れを遮断する閉止位置に向かう前記蓋の前記カバー部分の移動により、少なくとも２つの聴覚および触感による応答をもたらすことを特徴とする請求項１に記載のパッケージ入り飲料濃縮液。
【請求項９】
流れを遮断する閉止位置に向かう前記蓋の前記カバー部分の移動中に、聴覚および／または触感による応答を提供する手段をさらに含むことを特徴とする請求項１に記載のパッケージ入り飲料濃縮液。
【請求項１０】
前記蓋の前記カバー部分が、前記出口経路を遮断する手段を有することを特徴とする請求項１に記載のパッケージ入り飲料濃縮液。
【請求項１１】
液垂れ指標値０をさらに含むことを特徴とする請求項１に記載のパッケージ入り飲料濃縮液。
【請求項１２】
容器の中に濃縮液の複数回用量を有する容器のパッケージ入り製品であって、前記容器が、
閉じた第１の端部と少なくとも部分的に開いた第２の端部との間に延在する側壁によって画定される、前記濃縮液を中に格納する内部を有し、前記側壁が弾性かつ可撓性であって、圧力を受けて撓んで、容器本体の前記内部から、かつ前記少なくとも部分的に開いた第２の端部を通して前記濃縮液を押し出し、少なくとも実質的にその元の形状に戻るように構成された、容器本体と、
前記側壁の前記可撓性部分に対して力を加えると、濃縮液性能値４以下を有する濃縮液の噴流を生じさせて、約１．０ｇ／ｓから１．５ｇ／ｓの質量流量を生じさせるように構成された、前記出口経路のノズルとを備えることを特徴とするパッケージ入り製品。
【請求項１３】
前記ノズルが、前記側壁の前記可撓性部分に実質的に力が加えられない封止位置と、前記側壁の前記可撓性部分に力が加えられると前記濃縮液が通り抜けられる屈曲位置との間で移動可能な、複数のフラップを形成する複数のスリットを含むバルブであることを特徴とする請求項１２に記載のパッケージ入り製品。
【請求項１４】
１から４のＬＣＤＦＶを有するように構成されたことを特徴とする請求項１２に記載のパッケージ入り製品。
【請求項１５】
約２．１ｇ／ｓの質量流量をもたらす強い圧搾力と約１．４ｇ／ｓの質量流量をもたらす弱い圧搾力とを比較して、前記容器を出る濃縮液の噴流の推力の最大差異が約８０００ｇ×ｍｍ／ｓ2未満、より好ましくは約６０００ｇ×ｍｍ／ｓ2未満であるようにして、前記ノズルが構成されたことを特徴とする請求項１２に記載のパッケージ入り製品。
【請求項１６】
前記少なくとも部分的に開いた第２の端部に固定され、前記濃縮液を前記容器本体の前記内部から押し出す圧力が、前記濃縮液を前記出口経路の前記ノズルを通して押し出すようにして、流体出口経路を画定する再閉止可能な蓋と、
前記蓋の閉止中に聴覚および／または触覚による応答を提供する手段とをさらに備えることを特徴とする請求項１２に記載のパッケージ入り製品。
【請求項１７】
容器からの濃縮液の噴流を使用して混合物を作成する方法であって、
前記濃縮液の複数回用量が中に格納され、ノズルを備えた出口開口部を有する前記容器から前記濃縮液を押し出すのに十分な、環境と前記容器の内部との間の差圧を作り出すステップと、
１．０ｇ／ｓから５ｇ／ｓ、より好ましくは１．０ｇ／ｓから１．５ｇ／ｓの質量流量を有する濃縮液の噴流を、前記ノズルを通して前記容器から分配するステップと、
衝突によって著しい量の流体が標的の容器内から移動しないようにして、前記標的の容器内の標的の液体を前記噴流と衝突させるステップと、
前記標的の液体と前記濃縮液を混合して、前記噴流とともに混合物とするステップとを含むことを特徴とする方法。
【請求項１８】
前記標的の容器内の前記標的の液体を衝突させる前記ステップが、３未満の衝突液飛び係数を生じさせることを特徴とする請求項１７に記載の方法。
【請求項１９】
前記標的の液体と前記濃縮液を前記噴流とともに混合する前記ステップが、前記標的の液体と前記濃縮液を混合して、前記標的の液体に衝突して１０秒以内で、前記標的の容器の底部と頂部との間で０．３のΔｐＨ差を有するほぼ均質な混合物とするステップを含むことを特徴とする請求項１７に記載の方法。
【請求項２０】
前記標的の液体と前記濃縮液を前記噴流とともに混合する前記ステップが、３未満の混合能力値を生じさせることを特徴とする請求項１７に記載の方法。
【請求項２１】
前記濃縮液の前記噴流を前記ノズル部材を通して前記容器から分配する前記ステップが、１．０ｇ／ｓから５ｇ／ｓの質量流量を有し、０．３秒から３．０秒以内で前記濃縮液の用量を分配するステップを含むことを特徴とする請求項１７に記載の方法。
【請求項２２】
少なくとも約３重量％のアルコールと、
１から４０％の香味料とを含み、
濃縮液が約３未満のｐＨを有し、前記ｐＨが、約１：１から約４０００：１の範囲の酸対緩衝剤重量比の酸および緩衝剤を使用して確立されることを特徴とする飲料用の濃縮液。
【請求項２３】
濃縮液粘性が約５００ｃＰ未満であることを特徴とする請求項２２に記載の濃縮液。
【請求項２４】
前記濃縮液粘性が約１から２５ｃＰの範囲であることを特徴とする請求項２２に記載の濃縮液。
【請求項２５】
前記アルコールがプロピレングリコールであることを特徴とする請求項２２に記載の濃縮液。
【請求項２６】
前記酸対緩衝剤比が約１：１から４０：１であることを特徴とする請求項２２に記載の濃縮液。
【請求項２７】
濃度が約２５倍から５００倍に濃縮されることを特徴とする請求項２２に記載の濃縮液。
【請求項２８】
前記ｐＨが約１．４から約３．０であることを特徴とする請求項２２に記載の濃縮液。
【請求項２９】
前記ｐＨが、クエン酸、リンゴ酸、フマル酸、酒石酸、リン酸、および乳酸から成るリストから選択される商品等級の酸を使用して確立されることを特徴とする請求項２２に記載の濃縮液。
【請求項３０】
前記緩衝剤が、クエン酸ナトリウム、クエン酸カリウム、リン酸、酢酸、酸の任意の塩、およびそれらの任意の組み合わせから成るリストから選択されることを特徴とする請求項２２に記載の濃縮液。
【請求項３１】
前記アルコールが約３から３５重量％の範囲であることを特徴とする請求項２２に記載の濃縮液。
【請求項３２】
前記ｐＨが約１．７から２．４の範囲であることを特徴とする請求項２２に記載の濃縮液。
【請求項３３】
飲料濃縮液の複数回用量を中に含む容器を有するパッケージ入り飲料濃縮液であって、
出口開口部と、圧搾して容器本体の内部から、かつ前記出口開口部を通して前記飲料濃縮液を押し出すことができるように、可撓性かつ弾性の側壁とを有する容器本体と、
前記容器本体の前記内部内に配置され、５００ｃＰ未満の粘性および０．６から１．０の範囲の水分活性を有する濃縮液とを備えることを特徴とするパッケージ入り飲料濃縮液。